(57)【要約】      （修正有）【課題】ソケットの基端部側の差込み口近傍にＯリングで装着されている抜止めピンに嵌挿後係止する着脱自在なソケットホルダーを提供する。【解決手段】回動係止体ａのストッパー１ａ付き下端部から頭部２に縦状の割込み部１を設け、その上方に一方の割込み片４の前方部より後方部にかけて一方のピン嵌挿部６を、他方の割込み片５の後方部より前方部にかけて他方のピン嵌挿部７を割込み部１と連接する。回動係止体ａを嵌挿する筒体ｂは、内側に回動係止体ａが嵌挿可能な嵌挿孔１２を有する囲み壁部を形成し、該囲み壁部の開口部１４より上方開口部１５にかけて、筒体側割込み部１６を形成し、回動係止体ａに筒体ｂを嵌挿する。【選択図】図１
0003206697.tif 000002
【実用新案登録請求の範囲】
【請求項１】
ソケットに着脱自在なソケットホルダーにおいて、
前記ソケットホルダーが回動係止体と筒体とからなり、
前記回動係止体のストッパー付き下端部から頭部に縦状の割込み部を設け、前記割込み部の上方に一方の割込み片の前方部より後方部にかけて一方のピン嵌挿部を、他方の割込み片の後方部より前方部にかけて他方のピン嵌挿部を夫々前記割込み部と連接せしめ形成し、
前記回動係止体を嵌挿する筒体は、内側に前記回動係止体が嵌挿可能な嵌挿孔を有する囲み壁部を形成し、該囲み壁部の開口部より上方開口部にかけて、筒体側割込み部を形成し、前記回動係止体に前記筒体を嵌挿し、組立てることを特徴とする着脱自在なソケットホルダー。
【請求項２】
前記回動係止体を嵌挿する筒体が、筒体側割込み部の上方部に、夫々切欠部を形成せしめることを特徴とする請求項１に記載の着脱自在なソケットホルダー。
【請求項３】
前記回動係止体の割込み部が、抜止めピンの直径より大きく形成されていることを特徴とする請求項１又は２に記載の着脱自在なソケットホルダー。
【請求項４】
前記回動係止体の上方頭部もしくは係止部に、キャップ体が嵌着せしめられることを特徴とする請求項１又は２又は３に記載の着脱自在なソケットホルダー。
【請求項５】
前記回動係止体と筒体の横断面が円形状であることを特徴とする請求項１又は２又は３又は４に記載の着脱自在なソケットホルダー。
【請求項６】
前記筒体の直径が、前記ソケットの抜止めピンが嵌挿するソケット基端部の差込み口部に嵌挿可能な直径であることを特徴とする請求項１又は２又は３又は４又は５に記載の着脱自在なソケットホルダー。
【請求項７】
前記回動係止体を嵌挿するキャップ体は、内側に前記回動係止体の上方頭部が嵌挿可能な開口部と係止部に嵌合する内側係止部を形成せしめ、下端部に前記筒体の切欠部に嵌脱する突出部を形成せしめ、前記キャップ体に嵌挿するスプリングと、前記キャップ体に嵌挿し突出した回動係止体の頭部に嵌着せしめ前記スプリングの飛出を阻止する固定部を形成せしめることを特徴とする請求項１又は２又は３又は４又は５又は６に記載の着脱自在なソケットホルダー。
【請求項８】
前記回動係止体の割込み部の上方部にスプリングとボールが嵌挿する嵌挿孔を形成せしめると共に、前記筒体の割込み部の上方部に前記ボールが嵌挿する小孔を形成せしめることを特徴とする請求項１又は２又は３又は４又は５又は６又は７に記載の着脱自在なソケットホルダー。
【考案の詳細な説明】
【技術分野】
【０００１】
本考案は、着脱自在なソケットホルダーに関し、特にソケットの基端部側の差込み口の近傍にＯリングによって装着されている抜止めピンに嵌挿後係止する機構の着脱自在なソケットホルダーの分野に関するものである。
【背景技術】
【０００２】
従来、ソケットホルダーとして、下記特許文献１（特開２００２−６６９４２公報）が開示されている。
【０００３】
この特許文献１記載のソケットホルダーは、ソケット３の差込み口３１に着脱可能に緊密に嵌まるソケット受け部２に、抜止めピン３３が嵌まる凹部２１、２３を形成するもので、並列を目的として吊り下げたりができない構成である。
【０００４】
さらに、従来ソケットホルダーとして、下記特許文献２（特開２００９−１１９５３４公報）が開示されている。
【０００５】
この特許文献２に開示されているソケットホルダーは、棒８、８に挿通せしめられた基台部４の上方部に突設する溝１０、１１付きソケット係止部１４、１４に、ソケット２０の差込孔２１が差込まれると云う構造であって、その開発目的はレンチ用ソケット等の四角凹部を備えた工具を整理収納するためのもので、吊り下げホルダーとしての機能は全く存していないものである。
【先行技術文献】
【特許文献】
【０００６】
【特許文献１】特開２００２−６６９４２公報
【０００７】
【特許文献２】特開２００９−１１９５３４公報
【考案の概要】
【考案が解決しようとする課題】
【０００８】
しかるに、本考案は、従来開示されている特許文献１及び同２に記載のソケットホルダーと異なり、ソケットの差込み口の近傍に水平状に挿込み装着せしめられている抜止めピンに対し着脱自在に嵌挿した後、所定の角度だけ回動するとロックされ、逆に所定の角度だけ回動するとロックが解除されて離脱せしめるようにして吊下げることができるようにして課題を解決したものである。
【課題を解決するための手段】
【０００９】
課題を解決するための手段として、請求項１に記載の考案は、ソケットｓに着脱自在なソケットホルダーＡにおいて、
前記ソケットホルダーＡが回動係止体ａと筒体ｂとからなり、
前記回動係止体ａのストッパー１ａ付き下端部から頭部２に縦状の割込み部１を設け、前記割込み部１の上方に一方の割込み片４の前方部より後方部にかけて一方のピン嵌挿部６を、他方の割込み片５の後方部より前方部にかけて他方のピン嵌挿部７を夫々前記割込み部１と連接せしめ形成し、
前記回動係止体ａを嵌挿する筒体ｂは、内側に前記回動係止体ａが嵌挿可能な嵌挿孔１２を有する囲み壁部１３を形成し、該囲み壁部１３の開口部１４より上方開口部１５にかけて、筒体側割込み部１６、１７を形成し、前記回動係止体ａに前記筒体ｂを嵌挿し、組立てることを特徴とする着脱自在なソケットホルダーである。
【００１０】
上記課題を解決するための手段として、請求項２に記載の考案は、前記回動係止体ａを嵌挿する筒体ｂが、筒体側割込み部１６、１７の上方部に、夫々切欠部１６ａ、１７ａを形成せしめることを特徴とする請求項１に記載の着脱自在なソケットホルダーである。
【００１１】
上記課題を解決するための手段として、請求項３に記載の考案は、前記回動係止体ａの割込み部１が、抜止めピン３の直径より大きく形成されていることを特徴とする請求項１又は２に記載の着脱自在なソケットホルダーである。
【００１２】
上記課題を解決するための手段として、請求項４に記載の考案は、前記回動係止体ａの上方頭部２もしくは係止部１１に、キャップ体ｃが嵌着せしめられることを特徴とする請求項１又は２又は３に記載の着脱自在なソケットホルダーである。
【００１３】
上記課題を解決するための手段として、請求項５に記載の考案は、前記回動係止体ａと筒体ｂの横断面が円形状であることを特徴とする請求項１又は２又は３又は４に記載の着脱自在なソケットホルダーである。
【００１４】
上記課題を解決するための手段として、請求項６に記載の考案は、前記筒体ｂの直径が、前記ソケットｓの抜止めピン３が嵌挿するソケット基端部の差込み口部２３に嵌挿可能な直径であることを特徴とする請求項１又は２又は３又は４又は５に記載の着脱自在なソケットホルダーである。
【００１５】
上記課題を解決するための手段として、請求項７に記載の考案は、前記回動係止体ａを嵌挿するキャップ体ｃは、内側に前記回動係止体ａの上方頭部２が嵌挿可能な開口部１９と係止部１１に嵌合する内側係止部２０を形成せしめ、下端部に前記筒体ｂの切欠部１６ａ、１７ａに嵌脱する突出部２０ａ、２０ａを形成せしめ、前記キャップ体ｃに嵌挿するスプリング２１と、前記キャップ体ｃに嵌挿し突出した回動係止体ａの頭部２に嵌着せしめ前記スプリング２１の飛出を阻止する固定部２２を形成せしめることを特徴とする請求項１又は２又は３又は４又は５又は６に記載の着脱自在なソケットホルダーである。
【００１６】
上記課題を解決するための手段として、請求項８に記載の考案は、前記回動係止体ａの割込み部１の上方部にスプリング９とボール１０が嵌挿する嵌挿孔８を形成せしめると共に、前記筒体ｂの割込み部１６、１７の上方部に前記ボール１０が嵌挿する小孔１８、１８を形成せしめることを特徴とする請求項１又は２又は３又は４又は５又は６又は７に記載の着脱自在なソケットホルダーである。
【考案の効果】
【００１７】
本考案は前述したとおりの構成なので、ソケットの差込み口の近傍に水平状に挿込みＯリングによって装着せしめられている抜止めピンに対し、組立てられた本考案のソケットホルダーを前記ソケットの差込み口に嵌挿すると、回動係止体の割込み部と筒体側の割込み部が嵌込み、次にキャップ体を所定の角度（９０度）だけ回動せしめると、前記筒体はそのまま固定状態を保持して前記回動係止体だけが強制的に所定の角度（９０度）に回動し、前記抜止めピンに対し直角状の状態となり、前記ソケットと前記ソケットホルダーが嵌着係止し確実にロックできる利点がある。
【００１８】
さらに、前記キャッチホルダーが前記ソケットに対しロック状態から解除せしめるときは、前記キャップ体を、所定の角度（９０度）だけ逆回動させると、前記回動係止体の割込み部と筒体側の割込み部が重なり合い、そのまま前記キャッチホルダーを抜けば、前記ソケットから極めて容易に離脱できる利点がある。
【図面の簡単な説明】
【００１９】
【図１】本考案着脱自在なソケットホルダーの第１実施例の組立て前の各構成部材とソケットの斜視図である。
【００２０】
【図２】組立てたソケットホルダーをソケットに差込んだ状態の斜視図である。
【００２１】
【図３】図２のソケットに差し込んだソケットホルダーを所定の角度だけ回動させロックした状態の斜視図である。
【００２２】
【図４】図３のソケットホルダーとソケットのロック時の縦断正面図である。
【００２３】
【図５】ソケットホルダーとソケットのロック時の縦断右側面図である。
【００２４】
【図６】図４のソケットホルダーとソケットのロック解除後の縦断正面図である。
【００２５】
【図７】第２実施例のソケットホルダーを構成する各部材とソケットの組立て前の斜視図である。
【００２６】
【図８】図７の各構成部材を組立てたソケットホルダーとソケットのロック前の斜視図である。
【００２７】
【図９】図８のソケットに嵌挿したソケットホルダーがロックされた時の斜視図である。
【００２８】
【図１０】ソケットホルダーが、ソケットに対しロック前の縦断正面図である。
【００２９】
【図１１】図９のソケットに対しソケットホルダーのロック直前のキャップ体を持上げた状態の縦断面図である。
【００３０】
【図１２】ソケットに対しソケットホルダーがロックされている状態の縦断右側面図である。
【００３１】
【図１３】ソケットに対しソケットホルダーがロック中の縦断面図である。
【００３２】
【図１４】第１、２実施例のソケットホルダーがソケットに嵌挿して抜止めピンとのロック時をソケットの開口部より見た状態のソケットとソケットホルダーの横断面図である。
【考案を実施するための最良の形態】
【００３３】
本考案に関する請求項１〜８までの考案に関する実施の形態は共通しているので、一括して図面にもとづき以下のとおり説明する。
【００３４】
図においてｓはソケットである。
【００３５】
Ａは本考案における着脱自在なソケットホルダーであり以下の構成からなっている。
【００３６】
なお本考案の着脱自在なソケットホルダーＡは第１実施例と第２実施例のものがある。
【００３７】
第１実施例のソケットホルダーＡは、構成部材が回動係止部ａと筒体ｂとキャップ体ｃとから構成されている。各構成部材について説明すると以下のとおりである。
【００３８】
前記回動係止体ａは、下端部にストッパー１ａが突設されている。このストッパー１ａは、鍔状にて形成するが限定しない。
【００３９】
そして、前記回動係止体ａの下端部から頭部２にかけて、軸線方向と同一線上に前記抜止めピン３の直径より若干大きい直径の割込み部１が設けられている。なお前記割込み部１の幅員は通常同一とする。
【００４０】
前記割込み部１の形成によって区分けされた一方の割込み片４と他方の割込み片５は、図１に図示されているように対称的である。
【００４１】
さらに、本考案は前記割込み部１の上方部に、ソケットｓに装着されている抜止めピン３の直径より稍大きい直径にして、前記割込み部１のの軸線方向に対し直角状に且つ一方の割込み片４の前方部４ａより後方部４ｂにかけて所定の角度（９０度）の部位に延設する一方のピン嵌挿部６を形成する（図１）。しかし前記一方のピン嵌挿部６の形状は限定的でない。
【００４２】
前記他方の割込み片５の後方部５ｂより前方部５ａにかけて所定の角度（９０度）の部位に延設する他方のピン嵌挿部７が前記割込み部１と連接して形成されている（図１）。しかし前記他方のピン嵌挿部７の形状は限定的でない。
【００４３】
前記両方のピン嵌挿部６、７は図１、７に図示されているように開口部が逆方向である。
【００４４】
図において、８は前記割込み部１の上方部に設けたスプリング９とボール１０が嵌挿する嵌挿孔である。この嵌挿孔８が形成される部位は、前記割込み部１の軸線方向に対し、９０度の部位に形成されている。
【００４５】
１１は前記嵌挿孔８の上方部に形成せしめられた角柱形状の係止部である。通常は６角形状であるが限定しない。
【００４６】
以上が第１実施例の着脱自在なソケットホルダーＡの構成部材の回動係止体ａに関する構成である。
【００４７】
つぎに第１実施例のソケットホルダーＡを構成する筒体ｂに関し説明すると以下のとおりである。
【００４８】
この筒体ｂは、前記回動係止体ａが嵌挿可能な嵌挿孔１２を有する囲み壁部１３によって構成されている。
【００４９】
さらに前記筒体ｂには、前記囲み壁部１３の下方開口部１４より上方開口部１５にかけて、前記回動係止体ａの割込み部１と前記ピン嵌挿部６、７の長さと同程度の長さの部位に、筒体側割込み部１６、１７を対向状に夫々形成せしめる。
【００５０】
そして、前記一方の筒体側割込み部１６の上方部と、前記筒体側割込み部１６、１７の軸線方向に対し、直角状の囲み壁部１３の部位にも、夫々前記ボール１０が嵌挿する小孔１８、１８を夫々形成せしめる。
【００５１】
つぎに、キャップ体ｃの実施例につき説明する。
【００５２】
このキャップ体ｃは、前記回動係止体ａの上方頭部２が嵌挿可能な開口部１９と、係止部１１を嵌合せしめる内側係止部２０が夫々形成されている。
【００５３】
１９ａは前記回動係止体ａの頭部２が突出する上方開口部である。
【００５４】
さらに、前記回動係止体ａと筒体ｂは、横断面が円形状にて形成されている。
【００５５】
また、前記回動係止体ａに嵌挿する前記筒体ｂの直径が、前記ソケットｓの抜止めピン３が嵌挿するソケット基端部の差込み口部２３に嵌挿可能な直径にて形成されている。
【００５６】
ｒは前記ソケットｓの差込み口部２３の近傍に穿設せしめられた２つの対向状の小孔３ａ、３ａに挿入し、前記小孔３ａ、３ａにかかるように前記ソケットｓの外周部に形成せしめられた嵌挿部３ｂに嵌込むゴム製リング体である。
【００５７】
前記小孔３ａ、３ａに挿入された前記抜止めピン３は、前記リング体ｒが嵌挿部３ｂに嵌込まれると突出ができない、いわゆるストップ状態となる。
【００５８】
以上が第１実施例の着脱自在なソケットホルダーＡの各構成部材の実施の形態である。
【００５９】
つぎに、前記第１実施例のソケットホルダーＡの各構成部材を組立てるには、前記回動係止体ａを前記筒体ｂに嵌挿して前記回動係止体ａの割込み部１と筒体ｂの筒体側割込み部１６、１７を合致させ、重なり合せてやる。その際ボール１０が一方の小孔１８に嵌合した状態となっている。また前記筒体ｂは、ストッパー１ａに係止され抜けない。
【００６０】
そして前記回動係止体ａの頭部にキャップ体ｃを被せ、係止部１１にキャップ体ｃの内側係止部２０を嵌着せしめる。前記の嵌着によって、前記キャップ体ｃが前記回動係止体ａの頭部２から容易に離脱したりしない。
【００６１】
上記のようにして組立てられた第１実施例のソケットホルダーＡの嵌挿とロックとロック解除に関する使用方法を説明すると以下のとおりである。
【００６２】
前記ソケットｓの差込み口部２３に前記ソケットホルダーＡを嵌挿せしめると、前記筒体ｂは、ストッパー１ａによって抜けることなく、前記抜止めピン３は、合致している回動係止体ａの割込み部１と筒体ｂの筒体側割込み部１６、１７から前記割込み部１と連接している一方のピン嵌挿部６と他方のピン嵌挿部７に到達し嵌挿状態となる。前記の状態になっているときは、前記ソケットホルダーＡは、前記抜止めピン３に対しロックされた状態となっていない。そのためつかんでいる手指を引き上げると極めて簡単に離脱できる。
【００６３】
つぎに、前記のロック前の状態から前記キャップ体ｃを一方向に９０度回動せしめると、前記回動係止体ａが前記抜止めピン３に対し前記筒体ｂは静止しているものの、前記回動係止体ａだけが、前記の一方のピン嵌挿部６内と他方のピン嵌挿部７に嵌込んで移動する。そしてストップ状態となるまで回動せしめる。
【００６４】
前記の回動係止体ａの所定の角度（９０度）だけ回動することによって、スプリング９に押圧されている前記ボール１０が、前記筒体ｂの一方の小孔１８から他方の小孔１８に移動して嵌挿する。
【００６５】
上記の工程によって、前記ソケットｓは、抜止めピン３と前記着脱自在なソケットホルダーＡが直角状に交差しロック状態となる。そして前記ソケットｓは吊り下げ状態となる。
【００６６】
つぎに、本考案の着脱自在なソケットホルダーＡを、ロックされている抜止めピン３から解除させる工程を説明すると以下のとおりである。
【００６７】
第１に、前記ソケットホルダーＡを構成している前記キャップ体ｃを、手指でつかんで、逆に回動せしめてやると、前記回動係止体ａが所定の角度（９０度）だけ逆廻りとなって所定の角度（９０度）回動する。その結果前記抜止めピン３は、一方のピン嵌挿部６内と他方のピン嵌挿部７内を逆方向に所定の角度（９０度）だけ回動しストップ状態となる。
【００６８】
前記のように前記回動係止体ａを所定の角度（９０度）だけ前記とは逆に回動せしめてやると、前記回動係止体ａの割込み部１と、前記筒体ｂの筒体側割込み部１６、１７が合致し重なり合わされる。そして前記ソケットホルダーＡを引上げれば、前記抜止めピン３から前記ソケットホルダーＡが極めて容易に離脱できる。
【００６９】
以上が本考案の第１実施例の着脱自在なソケットホルダーＡの使用方法に関する説明である。
【００７０】
つぎに、本考案の第２実施例の着脱自在なソケットホルダーＡにつき説明する。
【００７１】
第２実施例の着脱自在なソケットホルダーＡは、回動係止体ａと筒体ｂとキャップ体ｃから構成されている。
【００７２】
前記回動係止体ａは、第１実施例の回動係止体ａの係止部１１との相違点は、係止部１１の長さが長く形成されているだけで他の構成は全く同じである。そのため具体的説明は割愛する。
【００７３】
第２実施例の筒体ｂにつき説明すると以下のとおりである。
【００７４】
この筒体ｂが第１実施例と著しく異なる形状は、筒体側割込み部１６、１７の上方部にして、且つ切欠部１６ａ、１７ａが対向状にて形成されている点である。
【００７５】
さらに、第２実施例の筒体ｂが異なる点は、両方の筒体側割込み部１６、１７の軸線方向に対し、直角状の囲み壁部１３の部位にして、前記切欠部１６ａ、１７ａの中間部にボール１０が嵌挿する小孔１８が１個形成されている点である。
【００７６】
第２実施例のキャップ体は、第１実施例のキャップ体ｃと異なっている。
【００７７】
すなわち、第２実施例のキャップ体ｃは、第１に、下端部に筒体ｂの２つの切欠部１６ａ、１７ａに嵌脱する突出部２０ａ、２０ａを対向状にして、且つ突出状にて形成せしめた点である。第２に、前記前記キャップ体ｃに嵌挿するスプリング２１と、前記キャップ体ｃに嵌挿し前記キャップ体ｃの上方部より突出した回動係止体ａの頭部２に嵌着せしめ、前記スプリング２１の飛出を阻止する固定部２２を形成せしめた点である。
【００７８】
以上が第２実施例の着脱自在なソケットホルダーＡの構成である。
【００７９】
つぎに第２実施例の着脱自在なソケットホルダーＡを組立てるには、前記回動係止体ａに前記筒体ｂを嵌挿し、前記筒体ｂより飛出した回動係止体ａの頭部２に前記スプリング２１とキャップ体ｃを嵌挿せしめ、前記割込み部１と前記筒体側割込み部１６、１７とを合致せしめると共に、前記回動係止部ａの頭部２に固定部２２を嵌着せしめ組立てる。
【００８０】
前記のように組立てられたキャップ体ｃは、スプリング２１によって常時下方向に加圧されている。
【００８１】
上記のようにして組立てられた第２実施例のソケットホルダーＡの嵌挿とロックとロック解除に関する使用方法を説明すると以下のとおりである。
【００８２】
前記ソケットｓの差込み口部２３に前記ソケットホルダーＡを嵌挿せしめると、前記筒体ｂは、ストッパー１ａによって抜けることなく、前記抜止めピン３は、合致している回動係止体ａの割込み部１と筒体ｂの筒体側割込み部１６、１７から前記割込み部１と連接している一方のピン嵌挿部６と他方のピン嵌挿部７に到達し嵌挿状態となる。前記の状態になっているときは、前記ソケットホルダーＡは、前記抜止めピン３に対しロックされた状態となっていない。そのためつかんでいる手指を引き上げればソケットホルダーＡは極めて簡単に離脱できる。
【００８３】
つぎに、前記のロック前の状態から前記キャップ体ｃを一方向に９０度回動せしめると、前記回動係止体ａが抜止めピン３に対し前記筒体ｂは静止しているものの、前記回動係止体ａだけが、前記の一方のピン嵌挿部６内と他方のピン嵌挿部７内をストップ状態となるまで回動する。
【００８４】
そして、スプリング２１によって押圧されているキャップ体ｃの突出部２０ａ、２０ａが筒体ｂの囲み壁１３の上面部１３ａを擦りながら前記筒体ｂの切欠部１６ａ、１７ａに嵌り込み状態となって、前記回動係止体ａと筒体ｂの回動を阻止し、前記抜止めピン３とロック状態となる。
【００８５】
さらに、前記ロック状態に入ると、同時に前記ボール１０が小孔１８との嵌合状態が解除されている。
【００８６】
上記の工程によって、前記ソケットｓは、抜止めピン３と前記着脱自在なソケットホルダーＡがロックされ吊り下げ状態となる。
【００８７】
つぎに、本考案の第２実施例の着脱自在なソケットホルダーＡを、ロック状態にある前記ソケットｓの抜止めピン３から解除せしめる工程を説明する。
【００８８】
前記ソケットホルダーＡを構成している前記キャップ体ｃを、手指でつかんで、キャップ体ｃを持上げて、突出部２０ａ、２０ａを筒体ｂの切欠部１６ａ、１７ａから離脱させ、前記キャップ体ｃを逆回動せしめてやると、前記回動係止体ａが所定の角度（９０度）だけ回動する。その結果前記抜止めピン３は、一方のピン嵌挿部６内と他方のピン嵌挿部７内を逆方向に所定の角度（９０度）だけ回動しストップ状態となる。
【００８９】
前記のように前記回動係止体ａを所定の角度（９０度）だけ前記とは逆に回動せしめてやると、前記回動係止体ａの割込み部１と、前記筒体ｂの筒体側割込み部１６、１７が合致し重なり合わされる。そして前記ソケットホルダーＡを引上げれば、前記抜止めピン３から前記ソケットホルダーＡが離脱できる。
【００９０】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００９１】
Ａ      ソケットホルダー
ａ      回動係止体
ｂ      筒体
ｃ      キャップ体
ｓ      ソケット
ｒ      リング体
１      割込み部
１ａ    ストッパー
２      頭部
３      抜止めピン
４      割込み片
４ａ    前方部
４ｂ    後方部
５      割込み片
５ａ    前方部
５ｂ    後方部
６      ピン嵌挿部
７      ピン嵌挿部
８      嵌挿孔
９      スプリング
１０    ボール
１１    係止部
１２    嵌挿部
１３    囲み壁部
１３ａ  上面部
１４    下方開口部
１５    上方開口部
１６    筒体側割込み部
１６ａ  切欠部
１７    筒体側割込み部
１７ａ  切欠部
１８    小孔
１９    開口部
１９ａ  上方開口部
２０    内側係止部
２０ａ  突出部
２１    スプリング
２２    固定部
２３    差込み口部
【図１】
0003206697.tif 000003
【図２】
0003206697.tif 000004
【図３】
0003206697.tif 000005
【図４】
0003206697.tif 000006
【図５】
0003206697.tif 000007
【図６】
0003206697.tif 000008
【図７】
0003206697.tif 000009
【図８】
0003206697.tif 000010
【図９】
0003206697.tif 000011
【図１０】
0003206697.tif 000012
【図１１】
0003206697.tif 000013
【図１２】
0003206697.tif 000014
【図１３】
0003206697.tif 000015
【図１４】
0003206697.tif 000016